(57)【要約】【課題】設定値を設定変更する際、最小のエネルギー消費で新たな空調環境を実現できる設定値の組を代替パラメータとして選択する。【解決手段】空調指標算出部１５Ｂが、設定変更された設定値に基づき新たな空調環境を示す空調環境指標Ｉｉｎを算出し、空調パラメータ探索部１５Ｄが、この空調環境指標Ｉｉｎに基づいて、新たな空調環境と同等の空調環境が得られる設定値の組のうち、エネルギー消費が最小となる設定値の組を探索して代替パラメータＰｓとして選択する。【選択図】  図１
2016003827.tif 000002
【特許請求の範囲】
【請求項１】
複数種の設定値の組からなる空調パラメータに基づき部屋の空調環境を制御する空調制御システムに対して設定変更された設定値を適用することにより新たな空調環境を実現する際、最小のエネルギー消費で当該新たな空調環境を実現できる設定値の組を代替パラメータとして選択する空調パラメータ選択装置であって、
設定変更された前記設定値に基づき前記新たな空調環境を示す空調環境指標を算出する空調指標算出部と、
前記空調環境指標に基づいて、前記新たな空調環境と同等の空調環境が得られる設定値の組のうちから、エネルギー消費が最小となる設定値の組を探索し、前記代替パラメータとして選択する空調パラメータ探索部と
を備えることを特徴とする空調パラメータ選択装置。
【請求項２】
請求項１に記載の空調パラメータ選択装置において、
前記空調パラメータ探索部は、前記代替パラメータに風量の低下に関する設定変更が含まれている場合、当該代替パラメータのうち風量以外の設定値に関する設定変更を前記空調制御システムに適用した後、一定時間経過後に風量の低下に関する設定変更を適用することを特徴とする空調パラメータ選択装置。
【請求項３】
複数種の設定値の組からなる空調パラメータに基づき部屋の空調環境を制御する空調制御システムに対して設定変更された設定値を適用することにより新たな空調環境を実現する際、最小のエネルギー消費で当該新たな空調環境を実現できる設定値の組を代替パラメータとして選択する空調パラメータ選択方法であって、
設定変更された前記設定値に基づき前記新たな空調環境を示す空調環境指標を算出する空調指標算出ステップと、
前記空調環境指標に基づいて、前記新たな空調環境と同等の空調環境が得られる設定値の組のうち、エネルギー消費が最小となる設定値の組を探索し、前記代替パラメータとして選択する空調パラメータ探索ステップと
を備えることを特徴とする空調パラメータ選択方法。
【発明の詳細な説明】
【技術分野】
【０００１】
本発明は、空調制御技術に関し、特に設定値を設定変更することにより新たな空調環境を実現する際、最小のエネルギー消費で新たな空調環境を実現できる設定値の組を代替パラメータとして選択する空調パラメータ選択技術に関する。
【背景技術】
【０００２】
従来、建物・施設内に設けられた各エリアを空調制御システムで空調制御する際、個々のエリアの利用者が当該エリアの空調環境から感じた温冷感を空調制御に反映させる空調制御調整技術が提案されている（例えば、特許文献１など参照）。
【０００３】
このような空調制御調整技術では、利用者が使用するパーソナルコンピュータや携帯電話などの利用者端末から、ウェブページを利用して、利用者が当該エリアの空調環境から感じた、「温度を上げてほしい」、「温度を下げてほしい」という温冷感を申告し、これら申告の集約結果に基づき、当該エリアの目標温度を変更し、この際、利用者からの要望率と基準値とを比較した結果に基づき、目標温度を変化させる方向を決定することにより、利用者からの要請と省エネルギーとのバランスを調整している。
【先行技術文献】
【特許文献】
【０００４】
【特許文献１】特開２００８−２４１１５９号公報
【発明の概要】
【発明が解決しようとする課題】
【０００５】
空調環境を示す空調環境指標として、ＰＭＶ（Predicted Mean Vote：温熱環境評価指数）がある。利用者の温冷感に影響するパラメータとして、室温，平均放射温度，相対湿度，平均風速の４つの物理的パラメータと、利用者の着衣量および作業量の２つの人的パラメータの、合わせて６つのパラメータが関係しており、これらパラメータの複合効果を指数化したものがＰＭＶである。したがって、空調制御では、これらパラメータのうち、室温，相対湿度，平均風速の３つの空調パラメータを制御することにより、空調環境を調整していることになる。
【０００６】
しかしながら、前述した従来技術では、利用者からの要請に応じて空調環境を制御する際、室温，相対湿度，平均風速の３つの空調パラメータの組み合わせを考慮するのではなく、要請に直接対応する空調パラメータについてのみ調整するものとなっている。例えば利用者からの要請が「温度を上げてほしい」、「温度を下げてほしい」という内容であれば、室温という空調パラメータについてのみ設定値を制御するものとなっている。
このため、利用者の要請に対する解決策として、１つの空調パラメータのみを対象とした制御から得られる解決策は、必ずしもエネルギー消費が最小となるものではなく、十分な省エネルギー効果を得ることができないという問題点があった。
【０００７】
本発明はこのような課題を解決するためのものであり、設定値を設定変更する際、最小のエネルギー消費で新たな空調環境を実現できる設定値の組を代替パラメータとして選択することができる空調制御技術を提供することを目的としている。
【課題を解決するための手段】
【０００８】
このような目的を達成するために、本発明にかかる空調パラメータ選択装置は、複数種の設定値の組からなる空調パラメータに基づき部屋の空調環境を制御する空調制御システムに対して設定変更された設定値を適用することにより新たな空調環境を実現する際、最小のエネルギー消費で当該新たな空調環境を実現できる設定値の組を代替パラメータとして選択する空調パラメータ選択装置であって、設定変更された前記設定値に基づき前記新たな空調環境を示す空調環境指標を算出する空調指標算出部と、前記空調環境指標に基づいて、前記新たな空調環境と同等の空調環境が得られる設定値の組のうち、エネルギー消費が最小となる設定値の組を探索し、前記代替パラメータとして選択する空調パラメータ探索部とを備えている。
【０００９】
また、本発明にかかる上記空調パラメータ選択装置の一構成例は、前記空調パラメータ探索部が、前記代替パラメータに風量の低下に関する設定変更が含まれている場合、当該代替パラメータのうち風量以外の設定値に関する設定変更を前記空調制御システムに適用した後、一定時間経過後に風量の低下に関する設定変更を適用するようにしたものである。
【００１０】
また、本発明にかかる空調パラメータ選択方法は、複数種の設定値の組からなる空調パラメータに基づき部屋の空調環境を制御する空調制御システムに対して設定変更された設定値を適用することにより新たな空調環境を実現する際、最小のエネルギー消費で当該新たな空調環境を実現できる設定値の組を代替パラメータとして選択する空調パラメータ選択方法であって、設定変更された前記設定値に基づき前記新たな空調環境を示す空調環境指標を算出する空調指標算出ステップと、前記空調環境指標に基づいて、前記新たな空調環境と同等の空調環境が得られる設定値の組のうち、エネルギー消費が最小となる設定値の組を探索し、前記代替パラメータとして選択する空調パラメータ探索ステップとを備えている。
【発明の効果】
【００１１】
本発明によれば、オペレータが入力した設定変更がいずれか１つの設定値だけの変更であっても、当該設定値に限定されることなく他の設定値の変更も含めた、より多くの設定値の組のうちから、より最適な設定値の組が探索される。したがって、設定値を設定変更する際、最小のエネルギー消費で新たな空調環境を実現できる設定値の組を代替パラメータとして選択することができる。このため、利用者らの要請に応じてオペレータが設定値を設定変更する場合でも、利用者からの要請と省エネルギーとを両立した空調制御を実現すること可能となる。
【図面の簡単な説明】
【００１２】
【図１】第１の実施の形態にかかる空調パラメータ選択装置の構成を示すブロック図である。
【図２】第１の実施の形態にかかる空調パラメータ選択処理を示すフローチャートである。
【図３】設定変更画面の画面表示例である。
【図４】設定変更画面の他の画面表示例である。
【図５】高温対応時におけるエネルギー消費の変化を示す説明図である。
【図６】低温対応時におけるエネルギー消費の変化を示す説明図である。
【図７】高湿対応時（除湿再加熱時）におけるエネルギー消費の変化を示す説明図である。
【図８】低湿対応時（蒸気加湿時）におけるエネルギー消費の変化を示す説明図である。
【図９】風量の違いによる応答性の変化を示す説明図である。
【図１０】第２の実施の形態にかかる空調パラメータ指示処理を示すフローチャートである。
【発明を実施するための形態】
【００１３】
次に、本発明の実施の形態について図面を参照して説明する。
［第１の実施の形態］
まず、図１を参照して、本発明の第１の実施の形態にかかる空調パラメータ選択装置１０について説明する。図１は、第１の実施の形態にかかる空調パラメータ選択装置の構成を示すブロック図である。
【００１４】
この空調パラメータ選択装置１０は、オペレータ操作に応じて、全体としてサーバー装置やパーソナルコンピュータなどの情報処理装置からなり、複数種の設定値の組からなる空調パラメータに基づき部屋の空調環境を制御する空調制御システムに対して設定変更された設定値を適用することにより新たな空調環境を実現する際、最小のエネルギー消費で当該新たな空調環境を実現できる設定値の組を探索し、代替パラメータとして選択する機能、さらには、提示した代替パラメータを新たな空調パラメータとして通信回線Ｌ１を介して空調制御システム２０へ指示する機能を有している。
【００１５】
空調制御システム２０は、通信回線Ｌ２を介して熱源システム２１や各部屋に設置された空調機２２と接続し、オペレータからの操作入力、または通信回線Ｌ１を介して空調パラメータ選択装置１０から指示された、複数種の設定値の組からなる空調パラメータに基づいて、熱源システム２１や空調機２２を制御することにより、部屋の空調環境を制御する機能を有している。
【００１６】
次に、図１を参照して、本実施の形態にかかる空調パラメータ選択装置１０の構成について詳細に説明する。
空調パラメータ選択装置１０には、主な機能部として、通信Ｉ／Ｆ部１１、操作入力部１２、画面表示部１３、記憶部１４、および演算処理部１５が設けられている。
【００１７】
通信Ｉ／Ｆ部１１は、通信回線Ｌ１を介して空調制御システム２０や外部装置（図示せず）とデータ通信を行うことにより、空調パラメータなどの各種データやプログラムをやり取りする機能を有している。
操作入力部１２は、キーボード、マウス、タッチパネルなどの操作入力装置からなり、オペレータの操作を検出して演算処理部１５へ出力する機能を有している。
画面表示部１３は、ＬＣＤなどの画面表示装置からなり、演算処理部１５から出力された操作メニュー画面、空調パラメータを提示するための設定変更画面など、各種データを画面表示する機能を有している。
【００１８】
記憶部１４は、ハードディスクや半導体メモリなどの記憶装置からなり、演算処理部１５での空調パラメータ選択処理に関係する各種処理情報やプログラムを記憶する機能を有している。プログラムは、通信Ｉ／Ｆ部１１を介して外部装置や記録媒体から読み出して予め記憶部１４に格納される。
【００１９】
演算処理部１５は、ＣＰＵおよびその周辺回路を有し、記憶部１４のプログラムを実行することにより、空調パラメータ選択処理を実行するための各種処理部を実現する機能を有している。
演算処理部１５で実現される主な処理部として、入力取得部１５Ａ、空調指標算出部１５Ｂ、エネルギー消費算出部１５Ｃ、空調パラメータ探索部１５Ｄ、および空調パラメータ提示部１５Ｅがある。
【００２０】
入力取得部１５Ａは、操作入力部１２で検出されたオペレータ操作に応じて、空調制御システム２０で用いる任意の設定値に対する設定変更を取得し、当該設定変更の内容に基づき現行の設定値を変更することにより、新たな設定値の組からなる入力パラメータＰｉｎを生成する機能を有している。
【００２１】
空調指標算出部１５Ｂは、入力パラメータＰｉｎを空調制御システム２０に適用した際に得られる新たな空調環境を示す空調環境指標Ｉｉｎを算出する機能を有している。空調環境指標としては、前述したＰＭＶなど公知の空調環境指標を利用すればよい。
【００２２】
エネルギー消費算出部１５Ｃは、入力パラメータＰｉｎを空調制御システム２０に適用して新たな空調環境を実現するために、熱源システム２１や空調機２２で必要となるエネルギー消費Ｅｉｎを算出する機能を有している。
【００２３】
空調パラメータ探索部１５Ｄは、空調環境指標Ｉｉｎと同等の空調環境が得られる設定値の組のうち、エネルギー消費が最小となる設定値の組を探索し、代替パラメータＰｓとして選択する機能を有している。
代替パラメータＰｓを探索する処理は、制約条件を空調環境指標一定とし、目的関数をエネルギー消費として、目的関数が最小となる設定値の組を探索する、いわゆる制約条件付き非線形最適化問題を解く処理に相当する。
【００２４】
このような制約条件付き非線形最適化問題を解くには、非制約化処理を行った後、最適解を探索する必要がある。したがって、例えば非制約化処理については公知の手法であるペナルティ法を適用し、最適値探索処理について公知の手法である多変数試行錯誤法を適用する方法が考えられる。ペナルティ法は、探索中に計算条件が制約条件下に入った場合、目的関数を大きくしてペナルティを与える手法である。多変数試行錯誤法は、パラメータの組み合わせを網羅的に計算し、目的関数が最小となる組み合わせを試行錯誤する手法である。もし、処理時間がかかるようであれば、探索条件を粗くして最適に近い組み合わせを探索すればよい。
【００２５】
空調パラメータ提示部１５Ｅは、入力パラメータＰｉｎのエネルギー消費Ｅｉｎと代替パラメータＰｓのエネルギー消費Ｅｓとを比較し、この比較結果に応じて代替パラメータＰｓまたは入力パラメータＰｉｎを画面表示部１３で表示することによりオペレータへ提示する機能と、オペレータ操作に応じて、代替パラメータＰｓまたは入力パラメータＰｉｎからなる新たな空調パラメータを、通信Ｉ／Ｆ部１１から通信回線Ｌ１を介して空調制御システム２０へ指示する機能とを有している。
【００２６】
［第１の実施の形態の動作］
次に、図２を参照して、本実施の形態にかかる空調パラメータ選択装置１０の動作について説明する。図２は、第１の実施の形態にかかる空調パラメータ選択処理を示すフローチャートである。
空調パラメータ選択装置１０の演算処理部１５は、オペレータによる空調制御システム２０に関する設定変更要求操作に応じて図２の空調パラメータ選択処理を実行する。
【００２７】
まず、入力取得部１５Ａは、操作入力部１２で検出されたオペレータ操作に応じて、空調制御システム２０で用いる任意の設定値に対する設定変更を取得し、当該設定変更の内容に基づき現行の設定値を変更することにより、新たな設定値の組からなる入力パラメータＰｉｎを生成する（ステップ１００）。
【００２８】
次に、空調指標算出部１５Ｂは、入力パラメータＰｉｎを空調制御システム２０に適用した際に得られる新たな空調環境を示す空調環境指標Ｉｉｎを算出し（ステップ１０１）、エネルギー消費算出部１５Ｃは、入力パラメータＰｉｎを空調制御システム２０に適用した際に得られる新たな空調環境を実現するために必要となるエネルギー消費Ｅｉｎを算出する（ステップ１０２）。
【００２９】
空調環境指標としてＰＭＶを算出する場合、室温，平均放射温度，相対湿度，平均風速，着衣量，および作業量からなる６つの設定値が必要となる。しかし、平均放射温度、着衣量および作業量については計測が難しいため代替値を用いる。具体的には、放射温度は、室内温度設定と同じ値とし、作業量は１［ｍｅｔ］とする。また、着衣量は、季節に応じて夏季の０．３［ｃｌｏ］から冬季の０．８［ｃｌｏ］までの範囲で選択する。平均風速については、例えば定格風速を０．５［ｍ／ｓ］とし、この定格に対して４０％の風量であれば風速は０．５×４０％＝０．２［ｍ／ｓ］というように、定格に対する風量の割合に応じて定格風速を按分することにより平均風速を求めればよい。
【００３０】
続いて、空調パラメータ探索部１５Ｄは、空調環境指標Ｉｉｎと同等の空調環境が得られる設定値の組のうち、エネルギー消費が最小とするものを代替パラメータＰｓとして探索する（ステップ１０３）。
この後、空調パラメータ提示部１５Ｅは、入力パラメータＰｉｎのエネルギー消費Ｅｉｎと代替パラメータＰｓのエネルギー消費Ｅｓとを比較する（ステップ１０４）。
【００３１】
ここで、比較の結果、Ｅｉｎ＞Ｅｃの場合（ステップ１０５：ＹＥＳ）、空調パラメータ提示部１５Ｅは、入力パラメータＰｉｎと代替パラメータＰｓとを含む設定変更画面を画面表示部１３で表示することによりオペレータへ提示する（ステップ１０６）。
図３は、設定変更画面の画面表示例である。ここでは、入力パラメータＰｉｎとして「ＡＣ−１室内温度設定｜２７．０℃⇒２６．０℃」が表示されているとともに、代替パラメータＰｓとして「ＡＣ−１風量設定｜３０００ｍ3／ｈ⇒２５００ｍ3／ｈ，ＡＣ−１室内温度設定｜２７．０℃⇒２６．５℃」が表示されており、それぞれの空調パラメータを選択して空調制御システム２０へ適用するための操作ボタンが配置されている。
【００３２】
この例では、室内設定温度を２７．０℃から２６．０℃へ１℃だけ下げるという入力パラメータＰｉｎがオペレータから入力されたのに対して、同等の空調環境が得られる代替パラメータＰｓとして、室内設定温度を２７．０℃から２６．５℃へ０．５℃だけ下げるとともに、風量設定を３０００ｍ3／ｈから２５００ｍ3／ｈへ５００ｍ3／ｈだけ下げるという空調パラメータが提示されている。これにより、室内設定温度は０．５℃だけ下げるだけなので、入力パラメータＰｉｎより設定温度の変更幅が小さくなって省エネルギーとなるとともに、風量設定も５００ｍ3／ｈだけ下げることになるため省エネルギーとなる。
【００３３】
操作入力部１２において、この設定変更画面に対する代替パラメータ選択操作が検出された場合（ステップ１０７：ＹＥＳ）、空調パラメータ提示部１５Ｅは、代替パラメータＰｓを新たな空調パラメータとして通信Ｉ／Ｆ部１１から通信回線Ｌ１を介して空調制御システム２０へ指示し（ステップ１０８）、一連の空調パラメータ選択処理を終了する。
一方、代替パラメータ選択操作ではなく（ステップ１０７：ＮＯ）、入力パラメータ選択操作が検出された場合（ステップ１１０：ＹＥＳ）、空調パラメータ提示部１５Ｅは、入力パラメータＰｉｎを新たな空調パラメータとして通信Ｉ／Ｆ部１１から通信回線Ｌ１を介して空調制御システム２０へ指示し（ステップ１１１）、一連の空調パラメータ選択処理を終了する。
【００３４】
また、ステップ１０５において、Ｅｉｎ＝Ｅｃの場合（ステップ１０５：ＮＯ）、空調パラメータ提示部１５Ｅは、入力パラメータＰｉｎからなる設定変更画面を画面表示部１３で表示することによりオペレータへ提示する（ステップ１０９）。
図４は、設定変更画面の他の画面表示例である。ここでは、入力パラメータＰｉｎとして「ＡＣ−１室内温度設定｜２７．０℃⇒２６．０℃」が表示されており、この空調パラメータを選択して空調制御システム２０へ適用するための操作ボタンが配置されている。
【００３５】
操作入力部１２において、この設定変更画面に対する入力パラメータ選択操作が検出された場合（ステップ１１０：ＹＥＳ）、空調パラメータ提示部１５Ｅは、入力パラメータＰｉｎを新たな空調パラメータとして通信Ｉ／Ｆ部１１から通信回線Ｌ１を介して空調制御システム２０へ指示し（ステップ１１１）、一連の空調パラメータ選択処理を終了する。
また、ステップ１１０において、キャンセル操作が行われた場合（ステップ１１０：ＮＯ）、空調パラメータ提示部１５Ｅは、新たな空調パラメータを空調制御システム２０へ指示せず一連の空調パラメータ選択処理を終了する。
【００３６】
［空調パラメータによるエネルギー消費変化］
次に、設定値の組の設定変更によりエネルギー消費がどのように変化するかについて説明する。
まず、図５および図６を参照して、室温と風量（風速）の設定変更におけるエネルギー消費の変化について説明する。図５は、高温対応時におけるエネルギー消費の変化を示す説明図である。図６は、低温対応時におけるエネルギー消費の変化を示す説明図である。
【００３７】
図５に示すように、高温時の不快感を緩和する際、室温だけでなく風量も設定変更の対象として考慮した場合、エネルギー消費の異なる様々な設定値の組が存在することがわかる。例えば、状態Ｘ（室内設定温度＝２８．０℃、風量ＦＡＮ＝１００％）の場合、給気温度ＳＡは２５．０℃となり、エネルギー消費は約２１［ｋＷ］程度となる。ここで、高温時の不快感を緩和するため、例えば室内設定温度を２５．５℃に下げると、状態Ａ（給気温度ＳＡ＝２２．５℃）となり、エネルギー消費は約３１［ｋＷ］程度まで増加する。
【００３８】
一方、室内設定温度と風量の両方を設定変更の対象として、例えば、室内設定温度は２５．５℃のまま、風量ＦＡＮ＝７０％とすると、状態ＡとＰＭＶがほぼ同じ状態Ｂとなり、エネルギー消費量は約２２［ｋＷ］程度となる（このとき給気温度ＳＡは２１．２℃となる。風量が下がった分だけ低い）。さらに、室内設定温度は２５．５℃のまま、風量ＦＡＮ＝４０％とすると、状態ＡとＰＭＶはより０に近づき、かつエネルギー消費量は約１５［ｋＷ］程度まで低減する（このとき給気温度ＳＡは１８．０℃となる）。
したがって、高温時の不快感を緩和する際、室温だけでなく風量も設定変更の対象として考慮した場合、適切な設定値の組を選択すれば、より少ないエネルギー消費量で同等の空調環境が得られることがわかる。
【００３９】
また、図６に示すように、低温時の不快感を緩和する際、室温だけでなく風量も設定変更の対象として考慮した場合、エネルギー消費の異なる様々な設定値の組が存在することがわかる。例えば、状態Ｘ（室内設定温度＝２０．０℃、風量ＦＡＮ＝１００％）の場合、給気温度ＳＡは２１．０℃となり、エネルギー消費は約２４［ｋＷ］程度となる。ここで、低温時の不快感を緩和するため、例えば室内設定温度を２４．０℃に上げると、状態Ａ（給気温度ＳＡ＝２３．０℃）となり、エネルギー消費は約２７［ｋＷ］程度まで増加する。
【００４０】
一方、室内設定温度と風量の両方を設定変更の対象として、例えば、室内設定温度は２３．０℃のまま、風量ＦＡＮ＝７０％とすると、状態ＡとＰＭＶがほぼ同じ状態Ｂとなり、エネルギー消費量は約１７［ｋＷ］程度となる（このとき給気温度ＳＡは２４．４℃となる。風量が下がった分だけ高い）。さらに、室内設定温度は２３．０℃のまま、風量ＦＡＮ＝４０％とすると、状態ＡとＰＭＶがほぼ等しく、かつエネルギー消費量は約１２［ｋＷ］程度まで低減する（このとき給気温度ＳＡは２５．５℃となる）。
したがって、低温時の不快感を緩和する際、室温だけでなく風量も設定変更の対象として考慮した場合、適切な設定値の組を選択すれば、より少ないエネルギー消費で同等の空調環境が得られることがわかる。
【００４１】
次に、図７および図８を参照して、室温と湿度の設定変更におけるエネルギー消費の変化について説明する。図７は、高湿対応時（除湿再加熱時）におけるエネルギー消費の変化を示す説明図である。図８は、低湿対応時（蒸気加湿時）におけるエネルギー消費の変化を示す説明図である。
【００４２】
図７に示すように、高湿時の不快感を緩和する際、湿度ではなく室温を設定変更の対象として考慮した場合、エネルギー消費の異なる様々な設定値の組が存在することがわかる。例えば、状態Ｘ（室温＝２８．０℃、湿度＝８０％ＲＨ）の場合、エネルギー消費は約３２［ｋＷ］程度となる。ここで、高湿時の不快感を緩和するため、湿度＝４０％ＲＨに設定変更すると、状態Ａ（室温＝２８．０℃）となり、エネルギー消費は約１００［ｋＷ］程度まで増加する。
【００４３】
一方、室温を設定変更の対象として、室温＝２７．０℃に下げると、状態ＡとＰＭＶがほぼ同じ状態Ｂ（湿度＝８０％ＲＨ）となり、エネルギー消費は約３２［ｋＷ］程度のままとなる。
したがって、高湿時の不快感を緩和する際、湿度ではなく室温を設定変更の対象として考慮した場合、適切な設定値の組を選択すれば、より少ないエネルギー消費で同等の空調環境が得られることがわかる。
【００４４】
また、図８に示すように、低湿時の不快感を緩和する際、湿度ではなく室温を設定変更の対象として考慮した場合、エネルギー消費の異なる様々な設定値の組が存在することがわかる。例えば、状態Ｘ（室温＝２０．０℃、湿度＝３０％ＲＨ）の場合、エネルギー消費は約２８［ｋＷ］程度となる。ここで、低湿時の不快感を緩和するため、湿度＝６０％ＲＨに設定変更すると、状態Ａ（室温＝２０．０℃）となり、エネルギー消費は約３９［ｋＷ］程度まで増加する。
【００４５】
一方、室温を設定変更の対象として、室温＝２１．０に上げると、状態ＡとＰＭＶがほぼ同じ状態Ｂ（湿度＝３０％ＲＨ）となり、エネルギー消費は約２８［ｋＷ］程度のままとなる。
したがって、低湿時の不快感を緩和する際、湿度ではなく室温を設定変更の対象として考慮した場合、適切な設定値の組を選択すれば、より少ないエネルギー消費で同等の空調環境が得られることがわかる。
【００４６】
［第１の実施の形態の効果］
このように、本実施の形態は、空調指標算出部１５Ｂが、設定変更された設定値に基づき新たな空調環境を示す空調環境指標Ｉｉｎを算出し、空調パラメータ探索部１５Ｄが、この空調環境指標Ｉｉｎに基づいて、新たな空調環境と同等の空調環境が得られる設定値の組のうち、エネルギー消費が最小となる設定値の組を探索し、代替パラメータＰｓとして選択するようにしたものである。
【００４７】
これにより、オペレータが入力した設定変更がいずれか１つの設定値だけの変更であっても、当該設定値に限定されることなく他の設定値の変更も含めた、より多くの設定値の組のうちから、より最適な設定値の組が探索される。したがって、設定値を設定変更する際、最小のエネルギー消費で新たな空調環境を実現できる設定値の組を代替パラメータＰｓとして提示することができる。このため、利用者らの要請に応じてオペレータが設定値を設定変更する場合でも、利用者からの要請と省エネルギーとを両立した空調制御を実現すること可能となる。
【００４８】
なお、本実施の形態では、選択した代替パラメータＰｓをオペレータに提示した後、空調制御システム２０へ指示する場合を例として説明したが、これに限定されるものではなく、選択した代替パラメータＰｓをオペレータに提示することなく、空調制御システム２０へ指示するようにしてもよく、オペレータの作業負担を軽減できる。
また、設定変更の入力については、オペレータ操作に限定されるものではなく、利用者からの要請を要約した内容に基づき設定変更を自動入力するようにしてもよく、これにより、利用者からの要請に応じた空調制御の自動化を実現できる。
【００４９】
［第２の実施の形態］
次に、図９を参照して、本発明の第２の実施の形態にかかる空調パラメータ選択装置１０について説明する。図９は、風量の違いによる応答性の変化を示す説明図である。
【００５０】
まず、図９を参照して、設定値の設定変更により応答性がどのように変化するかについて説明する。
風量を操作する場合、一般的には風量が小さいほどエネルギー消費は少ないものの空調環境の変化は遅くなり、風量が大きいほどエネルギー消費は大きいものの空調環境の変化が速くなる。このため、使用費エネルギーを重要視すると空調環境の変化が遅くなり、利用者からの要請に対する対応が遅れることになる。
【００５１】
例えば、図９では、室温を２８．０℃から目標室温２６．０℃に変更する際、風量を定格風量の４０％、７０％、１００％とした場合における室内温度の変化を示している。例えば、風量＝１００％の場合、経過時間＝０における設定変更時点から２時間半程度で目標室温に到達しており、風量＝７０％の場合も、設定変更時点から３時間程度で目標室温に到達している。これに対して、風量＝４０％の場合は、目標室温に到達するのに設定変更時点から６時間程度も要している。したがって、風量が小さいほど目標到達時間が増大するため、風量の低下を含む設定変更の場合には、利用者からの要請に対する対応遅れが顕著となることが分かる。
【００５２】
本実施の形態では、空調パラメータ提示部１５Ｅにおいて、空調制御システム２０に対して新たな空調パラメータを指示する際、風量の低下を含む場合には、風量以外のパラメータを設定変更した後、風量の設定変更を行うようにしたものである。
【００５３】
［第２の実施の形態の動作］
次に、図１０を参照して、本実施の形態にかかる空調パラメータ選択装置１０の動作について説明する。図１０は、第２の実施の形態にかかる空調パラメータ指示処理を示すフローチャートである。
空調パラメータ選択装置１０の演算処理部１５は、空調制御システム２０に対して新たな空調パラメータを指示する場合、図１０の空調パラメータ指示処理を実行する。
【００５４】
まず、空調パラメータ提示部１５Ｅは、風量の低下を含む設定変更か否か判定し（ステップ２００）、風量の低下を含む設定変更である場合（ステップ２００：ＹＥＳ）、空調パラメータ提示部１５Ｅは、風量以外のパラメータに関する設定変更を指示し（ステップ２０１）、この設定変更から一定時間経過するまで待機した後（ステップ２０２）、風量を低下する設定変更を指示し（ステップ２０３）、一連の空調パラメータ指示処理を終了する。
【００５５】
一方、風量の低下を含まない設定変更である場合（ステップ２００：ＮＯ）、空調パラメータ提示部１５Ｅは、すべてのパラメータの設定変更を指示し（ステップ２０４）、一連の空調パラメータ指示処理を終了する。
【００５６】
［第２の実施の形態の効果］
このように、本実施の形態は、空調パラメータ提示部１５Ｅが、代替パラメータＰｓに風量の低下に関する設定変更が含まれている場合、当該代替パラメータＰｓのうち風量以外の設定値に関する設定変更を空調制御システム２０に適用した後、一定時間経過後に風量の低下に関する設定変更を適用するようにしたものである。
これにより、風量が低下する前に、すなわちある程度の風量が維持されている状態で、他の設定値に関する設定変更が適用されるため、部屋の空調環境の変化に対する遅れを低減することができ、利用者に対してより良い空調環境を早期に提供することが可能となる。
【００５７】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【００５８】
１０…空調パラメータ選択装置、１１…通信Ｉ／Ｆ部、１２…操作入力部、１３…画面表示部、１４…記憶部、１５…演算処理部、１５Ａ…入力取得部、１５Ｂ…空調指標算出部、１５Ｃ…エネルギー消費算出部、１５Ｄ…空調パラメータ探索部、１５Ｅ…空調パラメータ提示部。
【図１】
2016003827.tif 000003
【図２】
2016003827.tif 000004
【図３】
2016003827.tif 000005
【図４】
2016003827.tif 000006
【図５】
2016003827.tif 000007
【図６】
2016003827.tif 000008
【図７】
2016003827.tif 000009
【図８】
2016003827.tif 000010
【図９】
2016003827.tif 000011
【図１０】
2016003827.tif 000012